(57)【要約】時計型通信機は機器全体のサイズを小さくしなければならず、それに伴い電池容量も小さくなるので通信可能時間が短いという問題に対し、使用していないときには無線通信回路への電源の供給を停止して時計モードとして使用し、通信機として使用したい場合に無線通信回路への電源の供給を行なうことで、通信可能時間を長くした。
2004086737.tif 000002
【特許請求の範囲】
【請求項１】
入力手段と、時刻を計時し出力する時計計時手段と、無線通信手段と、表示手段とを有する携帯型無線通信装置において、前記入力手段からの入力信号により少なくとも前記時計計時手段への電源供給の停止をせずに前記無線通信手段への電源を供給するか停止するかの制御を行う電源制御手段と、前記時計計時手段か無線通信手段の出力を選択して表示手段へ表示する制御手段とを備えることを特徴とする携帯型無線通信装置。
【請求項２】
前記入力手段の所定の操作が第一の所定の時間続いた場合に前記表示の切り替えを行なう事を特徴とする請求項１記載の携帯型無線通信装置。
【請求項３】
前記入力手段の所定の操作が第一の所定の時間入力が続いた後に更に第二の所定時間続いた場合に電源を切断することを特徴とする請求項２記載の携帯型無線通信装置。
【請求項４】
前記表示手段に無線モードであるか時計モードであるか表示を行なう事を特徴とする請求項１記載の携帯型無線通信装置。
【請求項５】
前記表示手段は前記時計計時手段の出力を表示する第一の表示手段と前記無線通信手段の出力を表示する第二の表示手段とを有する事を特徴とする請求項１記載の携帯型無線通信装置。
【請求項６】
前記携帯型無線通信装置は携帯電話機である事を特徴とする請求項１から請求項５記載のいずれかの携帯型無線通信装置。
【請求項７】
前記携帯電話機は腕時計型である事を特徴とする請求項６記載の携帯型無線通信装置。
【請求項８】
時計機能と無線通信機能と入力手段と表示手段を有し入力手段の入力により時計機能と無線通信機能を切り替え表示できる携帯型無線通信装置において、
入力手段を監視して入力手段の操作状態の継続時間を計測する操作時間計測手段と、電源制御手段と、制御手段を有し、時計機能表示のときに前記入力手段の操作状態が第一の所定の時間継続すると前記電源制御手段により無線通信手段へ電源を供給して無線通信機能を動作させると共に前記制御手段が前記表示手段の表示を無線通信機能表示に切り替え、無線通信機能表示のときに前記入力手段の操作状態が第一の所定の時間継続すると前期電源制御手段により無線通信手段への電源の供給を停止して無線通信機能の動作を停止させると共に前記制御手段が前記表示手段の表示を時計機能表示に切り替えることを特徴とする携帯型無線通信装置。
【請求項９】
前記表示手段の無線通信機能表示は前記表示手段に無線通信手段の機能が動作していることをあらわす表示と無線通信手段から出力される情報の表示を含む表示であり、前記時計機能表示は無線通信手段の機能が停止したことをあらわす表示と無線通信手段から出力される情報の表示を消灯する表示を含む表示であることを特徴とする請求項８記載の携帯型無線通信装置。
【請求項１０】
前記入力手段の操作状態が前記第一の所定の時間継続した後に更に第二の所定の時間継続すると前記電源制御手段は少なくとも無線通信手段と前記表示手段への電源の供給を停止し無線通信機能の動作と前記表示手段の表示を停止させることを特徴とする請求項８または９記載の携帯型無線通信装置。
【請求項１１】
前記入力手段は電源の入り切りを行なう操作スイッチであることを特徴とする請求項８乃至１０記載の携帯型無線通信装置。
【請求項１２】
時計機能と無線通信機能と入力手段と表示手段を有し入力手段の入力により時計機能と無線通信機能を切り替え表示できる携帯型無線通信装置において、
電源制御手段と、制御手段と、電池電圧を検出して所定の時間以上通信可能である第一の電池電圧を検出すると信号を出力する電池電圧検出手段とを有し、該電池電圧検出手段により前記第一の電池電圧を検出すると前記制御手段に信号を出力し、前期電源制御手段により無線通信手段への電源の供給を停止して無線通信機能の動作を停止させると共に前記制御手段が前記表示手段の表示を時計機能表示に切り替えることを特徴とする携帯型無線通信装置。
【請求項１３】
前記無線通信手段は複数の電話番号を記憶することのできる携帯電話通信手段であり、前記携帯電話通信手段の機能が停止しているときに予め記憶した所定の電話番号に前記入力手段を用いて電話をかける操作がおこなわれると前記電源制御手段により無線通信手段へ電源を供給して前記携帯電話通信手段の機能の動作を開始させて通信を行い、前記制御手段は前記表示手段の表示を前記携帯電話通信手段の機能が動作していることをあらわす表示と前記携帯電話通信手段から出力される情報の表示をさせ、前記通信相手と通信が終了すると前記携帯電話通信手段の機能を停止させ、前記制御手段は前記表示手段の表示を前記携帯電話通信手段の機能が停止ししていることをあらわす表示と前記携帯電話通信手段から出力される情報の表示を消灯することを特徴とする請求項８乃至１２記載の携帯型無線通信装置。
【請求項１４】
前記予め記憶した所定の電話番号は緊急通報番号を含むことを特徴とする請求項１３記載の携帯型無線通信装置。
【請求項１５】
前記携帯電話通信手段の通信は文字データを含むデータ通信であることを特徴とする請求項１３または請求項１４記載の携帯型無線通信装置。
【請求項１６】
前記通信相手との通信の終了後からの経過時間を計測して所定の時間経過後に前記携帯電話通信手段の機能を停止させ、通信の終了から該所定の時間経過後まで前記携帯電話通信手段の機能の動作が一時的な動作であることをあらわす表示を行なうことを特徴とする請求項１３乃至請求項１５記載の携帯型無線通信装置。
【請求項１７】
前記携帯型無線通信装置は腕時計型であること特徴とする請求項８乃至１６記載の携帯型無線通信装置。
【発明の詳細な説明】
【技術分野】  本発明は携帯型無線通信装置に関する。
【背景技術】  携帯電話やＰＨＳ等の無線通信装置は、利便性や携帯性等が優れたものが望まれている。例えば、携帯性と利便性を兼ね備えた無線通信装置として、腕時計型の携帯電話などが開示されている。この無線通信装置では、腕に装着可能な装置本体と、時計モードにおける表示および通信モードにおける表示を行なう表示手段と、時計モードと通信モードとを切り替える切り替え手段を具備し、腕時計機能と通信機能の両立を図っている（例えば、特開平１１−１４６０４２号公報第２−４項及び第１，２図参照）。
従来の無線通信装置においては、腕時計機能と通信機能の両立を図るだけで、消費電力に関しては考慮されていなかった。腕時計型携帯電話機の場合に携帯性を考えると、装置全体の容積を小さくしなければならず、それに伴い電池の容積も小さくする必要が有る。そのため電池の電気容量も少なくなり、携帯電話の使用可能時間も短くなる。また、腕時計型に限らず電池の電気容量には限りがあるため、携帯電話機能を使いたいときに電池が切れていて使用できない、という課題があった。
【発明の開示】
上記問題を解決するために本発明では、以下の手段を講じた。
入力手段と、時刻を計時し出力する時計計時手段と、無線通信手段と、表示手段とを有する携帯型無線通信装置において、前記入力手段からの入力信号により少なくとも前記時計計時手段への電源供給の停止をせずに前記無線通信手段への電源を供給するか停止するかの制御を行う電源制御手段と、前記時計計時手段か無線通信手段の出力を選択して表示手段へ表示することを特徴とする。
更に、入力手段の所定の操作が第一の所定の時間続いた場合に表示の切り替えを行なう事を特徴とする。
更に、入力手段の所定の操作が更に引き続き第二の所定時間続いた場合に電源を切断することを特徴とする。
更に、表示手段に無線モードであるか時計モードであるか表示を行なう事を特徴とする。
また、表示手段は時計計時手段の出力を表示する第一の表示手段と無線通信手段の出力を表示する第二の表示手段とを有する事を特徴とする。
また、時計機能と無線通信機能と入力手段と表示手段を有し入力手段の入力により時計機能と無線通信機能を切り替え表示できる携帯型無線通信装置において、入力手段を監視して入力手段の操作状態の継続時間を計測する操作時間計測手段と、電源制御手段と、制御手段を有し、時計機能表示のときに前記入力手段の操作状態が第一の所定の時間継続すると前記電源制御手段により無線通信手段へ電源を供給して無線通信機能を動作させると共に前記制御手段が前記表示手段の表示を無線通信機能表示に切り替え、無線通信機能表示のときに前記入力手段の操作状態が第一の所定の時間継続すると前期電源制御手段により無線通信手段への電源の供給を停止して無線通信機能の動作を停止させると共に前記制御手段が前記表示手段の表示を時計機能表示に切り替えることを特徴とする。
また、無線通信機能表示は無線通信手段の機能が動作していることをあらわす表示と無線通信手段から出力される情報の表示を含む表示であり、時計機能表示は無線通信手段の機能が停止したことをあらわす表示と無線通信手段から出力される情報の表示を消灯する表示を含む表示であることを特徴とする。
更に入力手段の操作状態が第一の所定の時間継続した後に更に第二の所定の時間継続すると電源制御手段は少なくとも無線通信手段と前記表示手段への電源の供給を停止し無線通信機能の動作と前記表示手段の表示を停止させることを特徴とする。また、入力手段は、電源の入り切りを行なう操作スイッチであってもよい。
時計機能と無線通信機能と入力手段と表示手段を有し入力手段の入力により時計機能と無線通信機能を切り替え表示できる携帯型無線通信装置において、電源制御手段と、制御手段と、電池電圧を検出して所定の時間以上通信可能である第一の電池電圧を検出すると信号を出力する電池電圧検出手段とを有し、該電池電圧検出手段により第一の電池電圧を検出すると制御手段に信号を出力し、電源制御手段により無線通信手段への電源の供給を停止して無線通信機能の動作を停止させると共に制御手段が表示手段の表示を時計機能表示に切り替えることを特徴とする。
また、無線通信手段は複数の電話番号を記憶することのできる携帯電話通信手段であり、携帯電話通信手段の機能が停止しているときに予め記憶した所定の電話番号に電話をかける操作がおこなわれると電源制御手段により無線通信手段へ電源を供給して携帯電話通信手段の機能の動作を開始させて通信を行い、制御手段は表示手段の表示を携帯電話通信手段の機能が動作していることをあらわす表示と携帯電話通信手段から出力される情報の表示をさせ、通信相手と通信が終了すると携帯電話通信手段の機能を停止させ、制御手段は表示手段の表示を携帯電話通信手段の機能が停止ししていることをあらわす表示と携帯電話通信手段から出力される情報の表示を消灯することを特徴とする。また予め記憶した所定の電話番号は緊急通報番号を含む番号であることを特徴とする。また、携帯電話通信手段の通信は文字データを含むデータ通信であることを特徴としてもよい。また、通信相手との通信の終了後からの経過時間を計測して所定の時間経過後に携帯電話通信手段の機能を停止させ、通信の終了から所定の時間経過後まで携帯電話通信手段の機能の動作が一時的な動作であることをあらわす表示を行なうことを特徴とする。
また、携帯型無線通信装置は携帯電話機である事を特徴とする。
更に、携帯電話機は腕時計型である事を特徴とする。
【図面の簡単な説明】  図１は、本発明の一実施の形態に係る携帯型無線通信装置の構成を示すブロック図である。
図２は、本発明の一実施の形態に係るボタン操作における遷移工程を示すフローチャートである。
図３は、本発明の一実施の形態に係る画面の遷移図である。
図４（ａ）は、本発明の第一の実施例に係る腕時計型携帯電話機のアームホルダーを開いた場合の正面図である。
図４（ｂ）は、本発明の第一の実施例に係る腕時計型携帯電話機のアームホルダーを閉じた場合の側面図である。
図５は、本発明の第二の実施例に係る携帯電話機の外観図である。
図６は、本発明の第二の実施の形態を示す携帯型無線通信装置の構成を示すブロック図である。
【発明を実施するための最良の形態】  以下、本発明の実施の形態を図面を参照して説明する。
図１は、本発明の実施の形態を示す携帯型無線通信装置の構成を示すブロック図であり、携帯電話機能と時計機能を兼ね備えている。入力手段１０１は、押し釦式のスイッチやスライド式のスイッチなどの機械的な動作を電気的信号に変換するスイッチなどは勿論のこと、ホトダイオードや太陽電池などの光電気変換器や、マイクロフォンなどの音響電気変換器やタッチパネルなどのスイッチでもよい。入力手段１０１は、少なくとも電源のオンとオフを行なうための機能と、時計機能と携帯電話機能を切り替える機能を有するスイッチである。また、入力手段１０１は複数のスイッチで構成し、その入力の組合せにより機能を変える手段を用いても実現はできる。入力手段１０１は、操作により発生した電気信号を制御回路１０２へ出力する。
制御回路１０２は、入力手段１０１からの電気信号の入力、電源制御回路１１２と表示制御回路１１０への電気信号の出力、時計回路１０９と携帯電話制御回路１０８との電気信号の入出力を行い、更に各種制御を行なっている。制御回路１０２は、ＣＰＵとメモリによりプログラムで動作している。
電源制御回路１１２は、制御回路１０２からの制御信号を入力し、表示制御回路１１０、時計回路１０９、携帯電話制御回路１０８、無線回路１０４への電源の供給を制御している。
時計回路１０９は、発振回路を有し発振した信号を分周し計数する事で、時刻を計時し表示制御回路１１０へ表示データを出力する。また時計回路１０９は、発振した信号を分周して、必要に応じて制御回路１０２に対して割り込み信号として出力している。
アンテナ１０３は、電波の送受信を行なうアンテナである。無線回路１０４は、携帯電話制御回路１０８からのデジタル信号を通信用の信号に変換してアンテナ１０３へ出力し、また、アンテナ１０３からの入力信号をデジタル信号へ変換して、携帯電話制御回路１０８へ出力する。マイク１０５は、音響電気信号変換器で通話時に発した音声を電気信号へ変換し、携帯電話制御回路１０８へ出力し通話に用いる。
レシーバー１０６は、携帯電話制御回路１０８からの電気信号を音声に変換して、これを通話に用いる。スピーカー１０７は、着信があった時や所定の時刻に報知したり、通話時の会話を拡声したりするスピーカーで、携帯電話制御回路１０８からの電気信号を音に変換する。携帯電話制御回路１０８は、携帯電話機能を実現する為に、基地局との通信のための信号処理や、音声と電気信号とを変換する処理や、表示手段１１１へ表示するためのデータ処理や、無線回路１０４の制御等の処理や、これらの制御を行なう。携帯電話制御回路１０８は、ＣＰＵとメモリを有しプログラムを用いて動作させている。
表示制御回路１１０は、時計回路１０９と携帯電話制御回路１０８とからの表示データ信号と、制御回路１０２の制御データ信号とを基に、表示手段１１１を駆動して表示を行なう。表示手段１１１は、平面型表示装置で液晶ディスプレイやＥＬディスプレイである。
携帯電話機能が動作している状態、つまり携帯電話制御回路１０８、無線回路１０４へ電源を供給し、携帯電話機能を使用可能な状態にしている状態を以降は電話モードと言う。また、携帯電話機能を停止させるために携帯電話制御回路１０８、無線回路１０４に対して電源供給を停止させ時計機能を動作させている状態があり、これを以降は時計モードという。時計モードでの消費電力は、電話モードに対して電源を供給する回路が少ない分、低く抑えることができる。
電話モードに於いて、入力手段１０１が操作されると、制御回路１０２は操作された事を検知し、計時回路１０９に対して所定時間毎に割り込み信号を出力する事を要求する。時計回路１０９は、所定時間毎に、ここでは仮に１秒として、１秒毎に制御回路１０２に対して割り込み信号を発生させる。制御回路１０２では、この割り込み信号毎に入力手段１０１の状態を観察する。入力手段１０１が操作され続けていれば、その操作継続時間を所定時間、ここでは仮に２秒以上か否かを判断して２秒以上ならば電話モードから時計モードへ変更する。更に操作が継続し例えば４秒を超えると、電源をオフする。
また、時計モードで入力手段１０１が継続して例えば２秒以上操作があったなら、時計モードから電話モードへ変更し，更に４秒以上なら電源をオフする。こうする事で、携帯電話機能を使用しないときに時計モードにしておく事で、消費電力の節約が可能となる。また、予め決めた時間帯では時計モードにするようにスケジュールを組むことも可能である。通信が終了してからの時間を計測して通信終了後例えば１０分間に自動的に時計モードに移行するとか、１時から６時までは時計モードにするとかというスケジュールを組むことができる。
また、表示制御回路１１０と表示手段１１１を、時計回路１０９の出力情報を表示するものと携帯電話制御回路１０８の出力情報を表示するものとに分ける事も可能である。こうすることで、表示情報量の多い表示と情報量の少ない表示を分けることができるので、更に省電力化ができる。
図２は、本発明の実施の形態に係るボタン操作における遷移工程を示すフローチャートであり、入力手段１０１の操作により本発明の携帯型通信装置の時計モードと電話モードとのモードの切り替えの遷移を示したものである。
まず、入力手段１０１が例えばプッシュスイッチであったとして、このプッシュスイッチを押しつづけるとする。プッシュスイッチが押されると割り込みが入り、その割り込み処理でカウンタの動作が開始する。また所定時間毎に割り込みの発生が開始され、その都度割り込み処理が行なわれることになる。ここでは１秒に一回割り込みが発生するとする。
図２は、この所定時間毎の割り込み処理によりモードが変わる過程を示している。割り込みが発生すると、ステップ２０１開始へ処理が移る。そしてステップ２０２でカウンタがプラス１される。一秒に１回の割り込み処理なので、カウンタの値はプッシュスイッチが押され始めてからの経過時間を現している。図示はしていないが、この経過時間や遷移までの残り時間を計算して画面に出力する事で、釦の押している時間や遷移までの残り時間を表示する事も可能であり、そのような表示をすることで利便性が更に向上する。
ステップ２０３でカウンタが２以上か判断を行なう。カウンタが２以上でなければステップ２０７終了へ進み割り込み処理は終了し、次の割り込みまで待つことになる。カウンタが２以上ならステップ２０４へ進みカウンタが４以上か判断する。カウンタが４以上でなければステップ２０６へ進み、現在のモードが電話モードなら時計モードへ、時計モードなら電話モードへ変更する。そしてステップ２０７終了へ進み割り込み処理は終了し、次の割り込みまで待つことになる。カウンタが４以上ならはステップ２０５へ進み、電源停止処理を行い、電源を停止する。そしてステップ２０７の終了へ進み、割り込み処理は終了する。以上の処理を行なう事で、プッシュスイッチを押し始めてから２秒後にモードが変更され、更に２秒経過後つまり４秒経過すると電源が切れる。
図３は、本発明の実施の形態に係る画面の遷移図であり、入力手段１０１の操作により電話モードから時計モードへのモードが変わる遷移の過程の表示画面を示したものであり、電話モードから時計モードへ移りさらに電源が切れるまでの画面を図示したものである。電話モードの画面３０６は、電話モードの画面を表示する。電話モード表示３０１は、電話モードである事を示している表示である。電話モードでの表示画面例３０３は、現在の日時及び時刻を示している「２００３年６月１０日  １０：０８」の表示と、電波強度を示すアンテナマーク３０９の表示をしている。電話モードで図２で説明したプッシュスイッチを２秒以上押し続けると、画面表示は時計モードの画面３０７へ切り替わる。時計モードの画面３０７は時計モードの画面を表示する。
時計モード表示３０２は時計モードである事を示している。時計モード表示３０２と電話モード表示３０１は、各モードであること示す表示なので同時には表示されない。時計モードでの表示画面例３０４は「２００３年６月１０日  １０：０８」と表示し、これは現在の日時及び時刻を示している。また、電話モードでは表示されていたアンテナマーク３０９は、携帯電話制御回路１０８からの情報なので表示されない。さらにプッシュスイッチを２秒以上押し続けるつまり最初から４秒押し続けると、画面表示は消灯の画面３０８を表示する。消灯表示３０５はＬＣＤの電源がオフされるので何も表示されない。以上のように画面が遷移する。
次に、図６は本発明の第二の実施の形態を示す携帯型無線通信装置の構成を示すブロック図であり、携帯電話機能と時計機能を兼ね備えている。入力手段６０１は、図１の入力手段１０１で説明した入力手段と同様の入力手段である。入力手段６０１は、操作により発生した電気信号を制御回路６０２へ出力する。
電池６１３は携帯型無線通信装置の全体の電源であり、リチウムイオン二次電池などの二次電池である。電圧検出回路６１４は電池６１３の電圧を検出し制御回路６０２へ検出結果を出力する。
制御回路６０２は、入力手段６０１からの信号を入力し、電圧検出回路６１４からの検出結果を入力し、電源制御回路６１２と表示制御回路６１０へ電気信号を出力し、時計回路６０９及び携帯電話制御回路６０８とは電気信号の入出力を行い、制御を行なっている。制御回路６０２は、ＣＰＵとメモリによりプログラムで動作している。
電源制御回路６１２は、制御回路６０２からの制御信号を入力し、表示制御回路６１０、時計回路６０９、携帯電話制御回路６０８、無線回路６０４への電源の供給を制御している。
時計回路６０９は、発振回路を有し発振した信号を分周し計数する事で、時刻を計時し表示制御回路６１０へ表示データを出力する。また時計回路６０９は、発振した信号を分周して、必要に応じて制御回路６０２に対して割り込み信号として出力している。
アンテナ６０３は、電波の送受信を行なうアンテナである。無線回路６０４は、携帯電話制御回路６０８からのデジタル信号を通信用の信号に変換してアンテナ６０３へ出力し、また、アンテナ６０３からの入力信号をデジタル信号へ変換して、携帯電話制御回路６０８へ出力する。マイク６０５は、音響電気信号変換器で通話時に発した音声を電気信号へ変換し、携帯電話制御回路６０８へ出力し通話に用いる。
レシーバー６０６は、携帯電話制御回路６０８からの電気信号を音声に変換して、これを通話に用いる。スピーカー６０７は、着信があった時や所定の時刻に報知したり、通話時の会話を拡声したりするスピーカーで、携帯電話制御回路６０８からの電気信号を音に変換する。携帯電話制御回路６０８は、携帯電話機能を実現する為に、基地局との通信のための信号処理や、音声と電気信号とを変換する処理や、表示手段６１１へ表示するためのデータ処理や、無線回路６０４の制御等の処理や、これらの制御を行なう。携帯電話制御回路６０８は、ＣＰＵとメモリを有しプログラムを用いて動作させている。
表示制御回路６１０は、時計回路６０９と携帯電話制御回路６０８とからの表示データ信号と、制御回路６０２の制御データ信号とを基に、表示手段６１１を駆動して表示を行なう。表示手段６１１は、平面型表示装置で液晶ディスプレイやＥＬディスプレイである。
携帯電話機能が動作している状態、つまり携帯電話制御回路６０８、無線回路６０４対して電源を供給し、携帯電話機能を使用可能な状態にしている状態を電話モードとする。また、携帯電話機能を停止させるために携帯電話制御回路６０８、無線回路６０４に対して電源供給を停止させ時計機能を動作させている状態があり、これを時計モードとする。時計モードでの消費電力は、電話モードに対して電源を供給する回路が少ない分、低く抑えることができる。
電話モードに於いて、電圧検出回路６１４が電池６１３の電圧を検出し、予め携帯電話を所定時間例えば１５分間通話するだけの電池容量が残っている電池電圧を記憶しておき、その記憶してある電池電圧以下になったときに、制御回路６０２は電話モードから時計モードへ切り替える制御を行なう。また、表示制御回路６１０は電話モードから時計モードへ切り替わると携帯電話制御回路６０８から得た情報による表示を消し、時計回路６０９からの時刻情報と時計モードである事を示す表示をする。
時計モードにおいては電源制御回路６１２により無線通信のための回路への電源供給を停止しているため無線通信はできないが、所定の電話番号例えば、警察や消防への緊急通報のための番号や予め電話帳に記憶してある特定の電話番号が入力手段６０１の操作により入力された場合、制御回路６０２は電源制御回路６１２に対して無線回路６０４、携帯電話制御回路６０８に対して電源供給を開始するように制御し、携帯電話制御回路６０８に対して携帯電話の基地局をサーチさせて電話をかけるように制御を行なう。基地局のサーチをして基地局が見つからない場合は所定の時間毎に見つかるまでサーチを行なう。通信が終了すると、予め決められた間、例えば１０分後に時計モードへ移行するように制御する。これによって、通話が終了した後所定時間は相手からの電話を受ける事が可能となり、緊急時にも電話の待ち受けができるようになる。また、通信終了後に所定時間待たずに時計モードへ移行することも、通信終了後に時計モードに移行しないように制御する事も可能で、制御回路６０２を設定することで選択もできる。時計モードにおいて、音声通話の代わりに電子メールの送受信のための発信にすることもできる。
また、通信終了後に計時回路６０９の１秒毎の割り込みを制御回路６０２でカウントし、このカウント値が３００カウント以下の場合は時計モードへ移行せず、３００カウントを超えると時計モードへ移行するように制御を行なうことで、通信終了後５分間は電話の待ち受けを可能とできることで、折り返しかかってくる場合も受ける事ができる。
ここで、制御回路６０２の制御により通信機能を停止させる制御を行なっている間であっても入力手段６０１の操作により電話帳やメール作成などの携帯電話の電話通信以外の機能を操作する事ができる。また、通信機能を停止させるために電源の供給を停止させる事の他、クロックの停止や、制御信号により停止させることも実現可能である。また、携帯電話回路のうち一部分である無線回路６０４などのアナログ回路部分の電源を停止させるなど通信回路の一部を停止させることでも実現可能である。
ここまで無線通信手段として携帯電話の例で説明したが、無線通信手段としてＢｌｕｅｔｏｏｔｈなどの近距離無線通信や無線ＬＡＮを用いた無線通信やこれらを用いた無線ＩＰ電話なども利用できる。
以下本発明の第一の実施例を、図４（ａ）に示す、本発明の第一の実施例に係る腕時計型携帯電話機のアームホルダーを開いた場合の正面図と、図４（ｂ）に示す、本発明の第一の実施例に係る腕時計型携帯電話機のアームホルダーを閉じた場合の側面図を用いて説明する。図４（ａ）と図４（ｂ）とで共通の部分は共通の符号を用いている。
本体４０１の内部には図示は省略したが、少なくとも時計回路、アンテナ、携帯電話回路等の電子回路を備えている。レシーバー側アームホルダー４０２は、レシーバー側ヒンジ部４０６を用いて本体４０１に接続し、マイク側アームホルダー４０３は、マイク側ヒンジ部４０７を用いて本体４０１に接続し、両ヒンジ部（４０６，４０７）により本体４０１と両アームホルダー（４０２，４０３）のなす角度を任意に固定できる。腕に装着する場合は、図４（ｂ）の側面図に示すように、両アームホルダー（４０２，４０３）を閉じた状態にする。携帯電話機として用いる場合は図４（ａ）の正面図に示すように開いた状態で用いる。
レシーバー側アームホルダー４０２には、レシーバーであるレシーバー４０４を配置し、マイク側アームホルダー４０３には、マイクロフォンであるマイク４０５を配置し、マイク４０５とレシーバー４０４を用いて携帯電話通信の時に会話を行なう。本体４０１には、液晶ディスプレイを用いて文字や記号や画像等を表示するための表示画面４０８を配置した。操作釦群４１０は、点線で囲まれた部分の複数の釦で、電話番号入力をする数字釦や、携帯電話接続開始停止をするオフフック釦とオンフック釦等の複数の釦で構成している。
電源釦４０９は、電源のオンとオフを切り替える機能及び、電話モードと時計モード機能を切り替える機能とを有する。ここで、電話モードに於いて電源釦４０９を２秒間以上押しつづけることで、電話モードから時計モードへ遷移する。さらに電源釦４０９を２秒間以上押すこと、つまり最初に電源釦４０９を押してから４秒以上押し続けることで、電源がオフする。また逆に、時計モードに於いて電源釦４０９を２秒間以上押しつづけることで、時計モードから電話モードへ遷移する。さらに電源釦４０９を２秒間以上押すこと、つまり最初に電源釦４０９を押してから４秒以上押し続けることで、電源がオフする。
電話モードの待ち受け時の消費電流は約１．５ｍＡ程度であり、時計モードの消費電流は約０．０５ｍＡ程度である。また、腕時計サイズにするためには、電池の外形を縦横それぞれ３０ｍｍ程度で厚みを３ｍｍ程度の外形にする必要があり、その外形にするとリチウムイオン二次電池の容量は２００ｍＡ程度になる。また、普通の携帯電話に用いる二次電池の容量は約７００ｍＡ程度ある。腕時計型の場合電話モードでは約１３３時間の使用可能時間に対し、通常は時計モードにして必要なときに電話モードに切り替えると最大約４０００時間の使用可能時間になる。このことからも、電話モードから時計モードへ切り替えて携帯電話機能に関する回路への電源の供給は停止することで、携帯電話機能に関する回路では電力は消費されずその分の電力は節約でき、携帯電話として使用したいときに電話モードにして、それ以外の時には時計モードにすることで使用可能な時間が長くなる。
また、電源釦４０９の押し続け時間によりモードの切り替えと電源オンオフの機能を兼用させることで、新たに釦を追加しなくとも済む。また、数字釦等とモード切替機能を兼用すると、数字入力中にモードが変わってしまい、次の操作にオフフックを予定していた場合など次の操作に影響を及ぼす問題が生じたりするが、電源釦であれば次の操作は無いので、問題が生じないという利点がある。
以下本発明の第二の実施例を、図５の本発明の第二の実施例に係る携帯電話機の外観図を用いて説明する。
本体５０１の内部には、時計回路と携帯電話回路等の電子回路を備えている。
アンテナ５０２は、無線通信に用いる電波を受信し無線回路へ電気信号として入力する。本体５０１の上部にレシーバー５０３を配置し、本体５０１の下部へマイク５０４を配置し通話を行なう。本体５０１には、液晶ディスプレイを用いて文字や記号や画像等を表示するための表示画面５０５を配置した。操作釦群５０７は点線で囲まれた部分の釦群で、電話番号入力の為の数字釦や携帯電話接続開始停止をするオフフック釦やオンフック釦等の複数の釦で構成している。
電源釦５０６は、電源のオンとオフを切り替える機能及び電話モードと時計モード機能を切り替える機能とを有する。電話モードに於いて電源釦５０６を２秒間以上押しつづけることで、電話モードから時計モードへ遷移する。さらに電源釦５０６を２秒間以上押すこと、つまり最初に電源釦５０６を押してから４秒以上押し続けることで、電源がオフする。また逆に、時計モードに於いて電源釦５０６を２秒間以上押しつづけることで、時計モードから電話モードへ遷移する。さらに電源釦５０６を２秒間以上押すこと、つまり最初に電源釦５０６を押してから４秒以上押し続けることで、電源がオフする。携帯電話機能を使用したいときに電話モードにして、それ以外の時には時計モードにすることで使用可能な時間を長くさせる事が可能となる。
【産業上の利用可能性】  本発明の携帯型無線通信装置は、例えば携帯電話等の無線通信機能と無線通信機能より消費電力を低く抑えられる腕時計機能等の時計機能を、電源切り替える事により省電力化を可能として、携帯型無線通信装置の使用可能時間を長くして利便性を向上させるものである。また、電源釦に電源オンオフ機能とモード切替機能の兼用をさせることで誤操作の防止が可能となる。
表示制御回路と表示手段を、時計回路の出力情報を表示するものと携帯電話制御回路の出力情報を表示するものとに分ける事で、表示情報量の多い表示と情報量の少ない表示を分けることができるので省電力化ができる。
また、時計モードにおいて、無線通信機能を動作させ、基地局をサーチし、通信相手との接続を行なうことで緊急の場合などに電話の発信を可能としたことで、時計モードで電力消費を抑えながら必要なときにモードを変える手間を省いて電話をかける事が可能となり、緊急時などに緊急通報するときに余分な操作を行なわずに電話をかけることができ、また、常に無線機能を動作させないので電力消費を抑えながら緊急の場合電話がかけられる。また、緊急時に電話をかけた後に所定の時間通信機能を動作させるのでかかってきた電話を受ける事も可能となる。また、電池の残量が少なくなると自動的に時計モードへ移行することで予め決めた番号への電話は可能としながら電力消費を抑えられる。時計モードにすることで電話をかけられるがかかってこない状態でかつ電話機に付属する電話以外の電子手帳やカレンダーなどの諸機能を使う事ができる。
【図１】
2004086737.tif 000003
【図２】
2004086737.tif 000004
【図３】
2004086737.tif 000005
2004086737.tif 000006
【図５】
2004086737.tif 000007
【図６】
2004086737.tif 000008
【国際調査報告】
2004086737.tif 000009
2004086737.tif 000010
2004086737.tif 000011
2004086737.tif 000012